(57)【要約】【課題】利用者が必要とする無線ソフトウェアを事前に、携帯電話、または、無線端末にダウンロードし、必要な時点で即座に使用できるようにする。【解決手段】サービス端末１０３、サービスエリア内管理サーバ１０４、無線用ソフトウェア管理サーバ１０７、端末管理サーバ１０８、決済管理サーバ１０９、チケット情報管理サーバ１１０、利用可能サービス管理サーバ１１１、個人情報管理サーバ１１２、他通信事業者管理サーバ１１３を利用して、無線端末１００、または、携帯電話１０１内のチケット情報、または、個人情報に含まれる位置情報、時刻情報に基づいて、必要な無線ソフトウェアを無線用ソフトウェア管理サーバ１０７から、ネットワーク１０６を介して、無線端末１００、または、携帯電話１０１にダウンロードする。【選択図】      図１
2004356706.tif 000002
【特許請求の範囲】
【請求項１】
記憶手段に位置情報、時刻情報を含むチケット情報、端末情報を格納し、前記記憶手段から読み出したチケット情報、端末情報を送信し、利用可能サービスを受信し利用者により利用可能サービスの中から選択された利用サービスを送信し、無線ソフトウェアを受信し、前記記憶手段に格納する携帯無線装置と、
前記携帯無線装置からのチケット情報、端末情報を受信し、チケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、
前記サービスエリア内管理サーバからのチケット情報内の位置情報、時刻情報、および、端末情報に基づいて、利用可能サービスを決定し送信する利用可能サービス管理サーバと、
前記サービスエリア内管理サーバからの選択された利用サービスを受信し、選択された利用サービスに対応する無線ソフトを前記サービスエリア内管理サーバに送信する無線用ソフトウェア管理サーバと、
を有することを特徴とする無線ソフトウェア取得システム。
【請求項２】
記憶手段に位置情報、時刻情報の存在場所を示すチケットリンク情報、端末情報の存在場所を示す端末リンク情報を格納し、前記記憶手段から読み出したチケットリンク情報、端末リンク情報を送信し、利用可能サービスを受信し利用者により利用可能サービスの中から選択された利用サービスを送信し、無線ソフトウェアを受信し、前記記憶手段に格納する携帯無線装置と、
前記携帯無線装置からのチケットリンク情報、端末リンク情報を受信し、チケットリンク情報に基づいてチケット情報管理サーバからチケット情報を取り出し、端末リンク情報に基づいて端末管理サーバから端情報を取り出し、取り出したチケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、
を有することを特徴とする請求項１記載の無線ソフトウェア取得システム。
【請求項３】
記憶手段に位置情報、時刻情報を含む個人情報、端末情報を格納し、前記記憶手段から読み出した個人情報、端末情報を送信し、利用可能サービスを受信し利用者により利用可能サービスの中から選択された利用サービスを送信し、無線ソフトウェアを受信し、前記記憶手段に格納する携帯無線装置と、
前記携帯無線装置からの個人情報、端末情報を受信し、個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、
前記サービスエリア内管理サーバからの個人情報内の位置情報、時刻情報、および、端末情報に基づいて、利用可能サービスを決定し送信する利用可能サービス管理サーバと、
前記サービスエリア内管理サーバからの選択された利用サービスを受信し、選択された利用サービスに対応する無線ソフトを前記サービスエリア内管理サーバに送信する無線用ソフトウェア管理サーバと、
を有することを特徴とする無線ソフトウェア取得システム。
【請求項４】
記憶手段に位置情報、時刻情報の存在場所を示す個人リンク情報、端末情報の存在場所を示す端末リンク情報を格納し、前記記憶手段から読み出した個人リンク情報、端末リンク情報を送信し、利用可能サービスを受信し利用者により利用可能サービスの中から選択された利用サービスを送信し、無線ソフトウェアを受信し、前記記憶手段に格納する携帯無線装置と、
前記携帯無線装置からの個人リンク情報、端末リンク情報を受信し、個人リンク情報に基づいて個人情報管理サーバから個人情報を取り出し、端末リンク情報に基づいて端末管理サーバから端情報を取り出し、取り出した個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、
を有することを特徴とする請求項３記載の無線ソフトウェア取得システム。
【請求項５】
前記携帯無線装置からの選択された利用サービスに対する決済依頼を送信する前記サービスエリア内管理サーバと、
前記サービスエリア内管理サーバからの決済依頼にしたがって、決済を行う決済管理サーバと、
を有することを特徴とする請求項１、２、３、または、４記載の無線ソフトウェア取得システム。
【請求項６】
選択された利用サービスを前記利用可能サービス管理サーバから受信し、サービスの利用手続きを行い、利用手続き完了を前記利用可能サービス管理サーバに送信する他通信事業者管理サーバと、
前記他通信事業者管理サーバに選択された利用サービスを送信し、前記他通信事業者管理サーバから利用手続き完了を受信すると、利用手続き完了を前記サービスエリア内管理サーバに送信する前記利用可能サービス管理サーバと、
前記利用可能サービス管理サーバから利用手続き完了を受診すると、選択された利用サービスを前記無線用ソフトウェア管理サーバに送信する前記サービスエリア内管理サーバと、
を有することを特徴とする請求項１、２、３、４、または、５記載の無線ソフトウェア取得システム。
【請求項７】
無線ソフトウェアを受け取ると、前記記憶手段の端末情報の無線方式情報を更新し、端末情報の更新通知を前記サービスエリア内管理サーバに送信する前記携帯無線装置と、
前記携帯無線装置から端末情報の更新通知を受信すると、前記端末管理サーバに、端末情報の更新通知を送信する前記サービスエリア内管理サーバと、
を有することを特徴とする請求項１、２、３、４、５、または６記載の無線ソフトウェア取得システム。
【請求項８】
事前に設定されたルールに基づいて利用可能サービスの中から利用サービスを選択する前記携帯無線装置を有することを特徴とする請求項１、２、３、４、５、６、または、７記載の無線ソフトウェア取得システム。
【請求項９】
記憶手段に位置情報、時刻情報を含むチケット情報、端末情報を格納し、前記記憶手段から読み出したチケット情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からのチケット情報、端末情報を受信し、チケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
前記サービスエリア内管理サーバからのチケット情報内の位置情報、時刻情報、および、端末情報に基づいて、利用可能サービスを決定し送信する処理を利用可能サービス管理サーバに実行させる利用可能サービス管理手順と、
前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、
を含むことを特徴とする無線ソフトウェア取得方法。
【請求項１０】
記憶手段に位置情報、時刻情報の存在場所を示すチケットリンク情報、端末情報の存在場所を示す端末リンク情報を格納し、前記記憶手段から読み出したチケットリンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からのチケットリンク情報、端末リンク情報を受信し、チケットリンク情報に基づいてチケット情報管理サーバからチケット情報を取り出し、端末リンク情報に基づいて端末管理サーバから端情報を取り出し、取り出したチケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
を含むことを特徴とする請求項９記載の無線ソフトウェア取得方法。
【請求項１１】
記憶手段に位置情報、時刻情報を含む個人情報、端末情報を格納し、前記記憶手段から読み出した個人情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からの個人情報、端末情報を受信し、個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
前記サービスエリア内管理サーバからの個人情報内の位置情報、時刻情報、および、端末情報に基づいて、利用可能サービスを決定し送信する処理を利用可能サービス管理サーバに実行させる利用可能サービス管理手順と、
前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、
を含むことを特徴とする無線ソフトウェア取得方法。
【請求項１２】
記憶手段に位置情報、時刻情報の存在場所を示す個人リンク情報、端末情報の存在場所を示す端末リンク情報を格納し、前記記憶手段から読み出した個人リンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からの個人リンク情報、端末リンク情報を受信し、個人リンク情報に基づいて個人情報管理サーバから個人情報を取り出し、端末リンク情報に基づいて端末管理サーバから端情報を取り出し、取り出した個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
を含むことを特徴とする請求項１１記載の無線ソフトウェア取得方法。
【請求項１３】
前記携帯無線装置からの選択された利用サービスに対する決済依頼を送信する処理を前記サービスエリア内管理サーバに実行させる前記サービスエリア内管理手順と、
前記サービスエリア内管理サーバからの決済依頼にしたがって、決済を行う処理を決済管理サーバに実行させる決済管理手順と、
を含むことを特徴とする請求項９、１０、１１、または、１２記載の無線ソフトウェア取得方法。
【請求項１４】
選択された利用サービスを前記利用可能サービス管理サーバから受信し、サービスの利用手続きを行い、利用手続き完了を前記利用可能サービス管理サーバに送信する処理を他通信事業者管理サーバに実行させる他通信事業者管理手順と、
前記他通信事業者管理サーバに選択された利用サービスを送信し、前記他通信事業者管理サーバから利用手続き完了を受信すると、利用手続き完了を前記サービスエリア内管理サーバに送信する処理を前記利用可能サービス管理サーバに実行させる前記利用可能サービス管理手順と、
前記利用可能サービス管理サーバから利用手続き完了を受診すると、選択された利用サービスを前記無線用ソフトウェア管理サーバに送信する処理を前記サービスエリア内管理サーバに実行させる前記サービスエリア内管理手順と、
を含むことを特徴とする請求項９、１０、１１、１２、または、１３記載の無線ソフトウェア取得方法。
【請求項１５】
無線ソフトウェアを受け取ると、前記記憶手段の端末情報の無線方式情報を更新し、端末情報の更新通知を前記サービスエリア内管理サーバに送信する処理を前記携帯無線装置に実行させる前記携帯無線手順と、
前記携帯無線装置から端末情報の更新通知を受信すると、前記端末管理サーバに、端末情報の更新通知を送信する処理を前記サービスエリア内管理サーバに実行させる前記サービスエリア内管理手順と、
を含むことを特徴とする請求項９、１０、１１、１２、１３、または１４記載の無線ソフトウェア取得方法。
【請求項１６】
事前に設定されたルールに基づいて利用可能サービスの中から利用サービスを選択する前記携帯無線装置に実行させる前記携帯無線を含むことを特徴とする請求項９、１０、１１、１２、１３、１４、または、１５記載の無線ソフトウェア取得方法。
【請求項１７】
記憶手段に位置情報、時刻情報を含むチケット情報、端末情報を格納し、前記記憶手段から読み出したチケット情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からのチケット情報、端末情報を受信し、チケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
前記サービスエリア内管理サーバからのチケット情報内の位置情報、時刻情報、および、端末情報に基づいて、利用可能サービスを決定し送信する処理を利用可能サービス管理サーバに実行させる利用可能サービス管理手順と、
前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、
をコンピュータに実行させることを特徴とする無線ソフトウェア取得プログラム。
【請求項１８】
記憶手段に位置情報、時刻情報の存在場所を示すチケットリンク情報、端末情報の存在場所を示す端末リンク情報を格納し、前記記憶手段から読み出したチケットリンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からのチケットリンク情報、端末リンク情報を受信し、チケットリンク情報に基づいてチケット情報管理サーバからチケット情報を取り出し、端末リンク情報に基づいて端末管理サーバから端情報を取り出し、取り出したチケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
をコンピュータに実行させることを特徴とする請求項１７記載の無線ソフトウェア取得プログラム。
【請求項１９】
記憶手段に位置情報、時刻情報を含む個人情報、端末情報を格納し、前記記憶手段から読み出した個人情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からの個人情報、端末情報を受信し、個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
前記サービスエリア内管理サーバからの個人情報内の位置情報、時刻情報、および、端末情報に基づいて、利用可能サービスを決定し送信する処理を利用可能サービス管理サーバに実行させる利用可能サービス管理手順と、
前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、
をコンピュータに実行させることを特徴とする無線ソフトウェア取得プログラム。
【請求項２０】
記憶手段に位置情報、時刻情報の存在場所を示す個人リンク情報、端末情報の存在場所を示す端末リンク情報を格納し、前記記憶手段から読み出した個人リンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、
前記携帯無線装置からの個人リンク情報、端末リンク情報を受信し、個人リンク情報に基づいて個人情報管理サーバから個人情報を取り出し、端末リンク情報に基づいて端末管理サーバから端情報を取り出し、取り出した個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、
をコンピュータに実行させることを特徴とする請求項１９記載の無線ソフトウェア取得プログラム。
【請求項２１】
前記携帯無線装置からの選択された利用サービスに対する決済依頼を送信する処理を前記サービスエリア内管理サーバに実行させる前記サービスエリア内管理手順と、
前記サービスエリア内管理サーバからの決済依頼にしたがって、決済を行う処理を決済管理サーバに実行させる決済管理手順と、
をコンピュータに実行させることを特徴とする請求項１７、１８、１９、または、２０記載の無線ソフトウェア取得プログラム。
【請求項２２】
選択された利用サービスを前記利用可能サービス管理サーバから受信し、サービスの利用手続きを行い、利用手続き完了を前記利用可能サービス管理サーバに送信する処理を他通信事業者管理サーバに実行させる他通信事業者管理手順と、
前記他通信事業者管理サーバに選択された利用サービスを送信し、前記他通信事業者管理サーバから利用手続き完了を受信すると、利用手続き完了を前記サービスエリア内管理サーバに送信する処理を前記利用可能サービス管理サーバに実行させる前記利用可能サービス管理手順と、
前記利用可能サービス管理サーバから利用手続き完了を受診すると、選択された利用サービスを前記無線用ソフトウェア管理サーバに送信する処理を前記サービスエリア内管理サーバに実行させる前記サービスエリア内管理手順と、
をコンピュータに実行させることを特徴とする請求項１７、１８、１９、２０、または、２１記載の無線ソフトウェア取得プログラム。
【請求項２３】
無線ソフトウェアを受け取ると、前記記憶手段の端末情報の無線方式情報を更新し、端末情報の更新通知を前記サービスエリア内管理サーバに送信する処理を前記携帯無線装置に実行させる前記携帯無線手順と、
前記携帯無線装置から端末情報の更新通知を受信すると、前記端末管理サーバに、端末情報の更新通知を送信する処理を前記サービスエリア内管理サーバに実行させる前記サービスエリア内管理手順と、
をコンピュータに実行させることを特徴とする請求項１７、１８、１９、２０、２１、または、２２記載の無線ソフトウェア取得プログラム。
【請求項２４】
事前に設定されたルールに基づいて利用可能サービスの中から利用サービスを選択する前記携帯無線装置に実行させる前記携帯無線をコンピュータに実行させることを特徴とする請求項１７、１８、１９、２０、２１、２２、または、２３記載の無線ソフトウェア取得プログラム。
【発明の詳細な説明】
【０００１】
【発明の属する技術分野】
本発明は、無線ソフトウェア取得システム、無線ソフトウェア取得方法、無線ソフトウェア取得プログラムに関し、特に、無線ソフトウェアを自動的に取得する無線ソフトウェア取得システム、無線ソフトウェア取得方法、無線ソフトウェア取得プログラムに関する。
【０００２】
【従来の技術】
各種無線方式に対応可能な無線端末のソフトウェア書き換えの実現は、たとえば特許文献１のソフトウェア無線端末において、現在の位置情報に基づいて必要な無線方式を選択しダウンロードするという方法が提案されている。
【０００３】
【特許文献１】
特開２００２−１９９４５１号公報（ページ１０、図３）
【０００４】
【発明が解決しようとする課題】
第１の問題点は、別の無線方式のサービスエリアに進入した際に、無線ソフトウェアのダウンロードが完了するまで当該無線方式による無線サービスの利用ができないことである。
【０００５】
その理由は、現在の位置情報を基に無線方式を選択し、ソフトウェアをダウンロードするからである。
【０００６】
第２の問題点は、無線端末に現在位置を特定するための手段が必要となることである。
【０００７】
その理由は、現在の位置を特定する手段を具備する無線端末以外にはソフトウェアのダウンロードサービスを提供することが不可能だからである。
【０００８】
第３の問題点は、無線方式をダウンロードしただけでは他通信事業者のサービスを利用できないことである。
【０００９】
その理由は、他通信事業者で無線端末を利用する場合、何らかの方法により他通信事業者への利用者の登録を行わなければならないためである。
【００１０】
本発明の目的は、携帯無線装置（無線端末、携帯電話等）に格納された各種チケット情報や個人情報などから自動的に関連する位置情報、時刻情報を決定し、利用者が将来に滞在する場所（位置）、日時（時間）に、無線ソフトウェアが即座に利用できるようにすることである。
【００１１】
【課題を解決するための手段】
本発明の第１の無線ソフトウェア取得システムは、記憶手段に位置情報、時刻情報を含むチケット情報、端末情報を格納し、前記記憶手段から読み出したチケット情報、端末情報を送信し、利用可能サービスを受信し利用者により利用可能サービスの中から選択された利用サービスを送信し、無線ソフトウェアを受信し、前記記憶手段に格納する携帯無線装置と、前記携帯無線装置からのチケット情報、端末情報を受信し、チケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、前記サービスエリア内管理サーバからのチケット情報内の位置情報、時刻情報、および、端末情報に基づいて、利用可能サービスを決定し送信する利用可能サービス管理サーバと、前記サービスエリア内管理サーバからの選択された利用サービスを受信し、選択された利用サービスに対応する無線ソフトを前記サービスエリア内管理サーバに送信する無線用ソフトウェア管理サーバと、を有することを特徴とする。
【００１２】
本発明の第２の無線ソフトウェア取得システムは、前記第１の無線ソフトウェア取得システムであって、記憶手段に位置情報、時刻情報の存在場所を示すチケットリンク情報、端末情報の存在場所を示す端末リンク情報を格納し、前記記憶手段から読み出したチケットリンク情報、端末リンク情報を送信し、利用可能サービスを受信し利用者により利用可能サービスの中から選択された利用サービスを送信し、無線ソフトウェアを受信し、前記記憶手段に格納する携帯無線装置と、前記携帯無線装置からのチケットリンク情報、端末リンク情報を受信し、チケットリンク情報に基づいてチケット情報管理サーバからチケット情報を取り出し、端末リンク情報に基づいて端末管理サーバから端情報を取り出し、取り出したチケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、を有することを特徴とする。
【００１３】
本発明の第３の無線ソフトウェア取得システムは、記憶手段に位置情報、時刻情報を含む個人情報、端末情報を格納し、前記記憶手段から読み出した個人情報、端末情報を送信し、利用可能サービスを受信し利用者により利用可能サービスの中から選択された利用サービスを送信し、無線ソフトウェアを受信し、前記記憶手段に格納する携帯無線装置と、前記携帯無線装置からの個人情報、端末情報を受信し、個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、前記サービスエリア内管理サーバからの個人情報内の位置情報、時刻情報、および、端末情報に基づいて、利用可能サービスを決定し送信する利用可能サービス管理サーバと、前記サービスエリア内管理サーバからの選択された利用サービスを受信し、選択された利用サービスに対応する無線ソフトを前記サービスエリア内管理サーバに送信する無線用ソフトウェア管理サーバと、を有することを特徴とする。
【００１４】
本発明の第４の無線ソフトウェア取得システムは、前記第３の無線ソフトウェア取得システムであって、記憶手段に位置情報、時刻情報の存在場所を示す個人リンク情報、端末情報の存在場所を示す端末リンク情報を格納し、前記記憶手段から読み出した個人リンク情報、端末リンク情報を送信し、利用可能サービスを受信し利用者により利用可能サービスの中から選択された利用サービスを送信し、無線ソフトウェアを受信し、前記記憶手段に格納する携帯無線装置と、前記携帯無線装置からの個人リンク情報、端末リンク情報を受信し、個人リンク情報に基づいて個人情報管理サーバから個人情報を取り出し、端末リンク情報に基づいて端末管理サーバから端情報を取り出し、取り出した個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信するサービスエリア内管理サーバと、を有することを特徴とする。
【００１５】
本発明の第５の無線ソフトウェア取得システムは、前記第１、第２、第３、または、第４の無線ソフトウェア取得システムであって、前記携帯無線装置からの選択された利用サービスに対する決済依頼を送信する前記サービスエリア内管理サーバと、前記サービスエリア内管理サーバからの決済依頼にしたがって、決済を行う決済管理サーバと、を有することを特徴とする。
【００１６】
本発明の第６の無線ソフトウェア取得システムは、前記第１、第２、第３、第４、または、第５の無線ソフトウェア取得システムであって、選択された利用サービスを前記利用可能サービス管理サーバから受信し、サービスの利用手続きを行い、利用手続き完了を前記利用可能サービス管理サーバに送信する他通信事業者管理サーバと、前記他通信事業者管理サーバに選択された利用サービスを送信し、前記他通信事業者管理サーバから利用手続き完了を受信すると、利用手続き完了を前記サービスエリア内管理サーバに送信する前記利用可能サービス管理サーバと、前記利用可能サービス管理サーバから利用手続き完了を受診すると、選択された利用サービスを前記無線用ソフトウェア管理サーバに送信する前記サービスエリア内管理サーバと、を有することを特徴とする。
【００１７】
本発明の第７の無線ソフトウェア取得システムは、前記第１、第２、第３、第４、第５、または第６の無線ソフトウェア取得システムであって、無線ソフトウェアを受け取ると、前記記憶手段の端末情報の無線方式情報を更新し、端末情報の更新通知を前記サービスエリア内管理サーバに送信する前記携帯無線装置と、前記携帯無線装置から端末情報の更新通知を受信すると、前記端末管理サーバに、端末情報の更新通知を送信する前記サービスエリア内管理サーバと、を有することを特徴とする。
【００１８】
本発明の第８の無線ソフトウェア取得システムは、前記第１、第２、第３、第４、第５、第６、または、第７の無線ソフトウェア取得システムであって、事前に設定されたルールに基づいて利用可能サービスの中から利用サービスを選択する前記携帯無線装置を有することを特徴とする。
【００１９】
本発明の第１の無線ソフトウェア取得方法は、記憶手段に位置情報、時刻情報を含むチケット情報、端末情報を格納し、前記記憶手段から読み出したチケット情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からのチケット情報、端末情報を受信し、チケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、前記サービスエリア内管理サーバからのチケット情報内の位置情報、時刻情報、および、端末情報に基づいて、利用可能サービスを決定し送信する処理を利用可能サービス管理サーバに実行させる利用可能サービス管理手順と、前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、を含むことを特徴とする。
【００２０】
本発明の第２の無線ソフトウェア取得方法は、前記第１の無線ソフトウェア取得方法であって、記憶手段に位置情報、時刻情報の存在場所を示すチケットリンク情報、端末情報の存在場所を示す端末リンク情報を格納し、前記記憶手段から読み出したチケットリンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からのチケットリンク情報、端末リンク情報を受信し、チケットリンク情報に基づいてチケット情報管理サーバからチケット情報を取り出し、端末リンク情報に基づいて端末管理サーバから端情報を取り出し、取り出したチケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、を含むことを特徴とする。
【００２１】
本発明の第３の無線ソフトウェア取得方法は、記憶手段に位置情報、時刻情報を含む個人情報、端末情報を格納し、前記記憶手段から読み出した個人情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からの個人情報、端末情報を受信し、個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、前記サービスエリア内管理サーバからの個人情報内の位置情報、時刻情報、および、端末情報に基づいて、利用可能サービスを決定し送信する処理を利用可能サービス管理サーバに実行させる利用可能サービス管理手順と、前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、を含むことを特徴とする。
【００２２】
本発明の第４の無線ソフトウェア取得方法は、前記第３の無線ソフトウェア取得方法であって、記憶手段に位置情報、時刻情報の存在場所を示す個人リンク情報、端末情報の存在場所を示す端末リンク情報を格納し、前記記憶手段から読み出した個人リンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からの個人リンク情報、端末リンク情報を受信し、個人リンク情報に基づいて個人情報管理サーバから個人情報を取り出し、端末リンク情報に基づいて端末管理サーバから端情報を取り出し、取り出した個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、を含むことを特徴とする。
【００２３】
本発明の第５の無線ソフトウェア取得方法は、前記第１、第２、第３、または、第４の無線ソフトウェア取得方法であって、前記携帯無線装置からの選択された利用サービスに対する決済依頼を送信する処理を前記サービスエリア内管理サーバに実行させる前記サービスエリア内管理手順と、前記サービスエリア内管理サーバからの決済依頼にしたがって、決済を行う処理を決済管理サーバに実行させる決済管理手順と、を含むことを特徴とする。
【００２４】
本発明の第６の無線ソフトウェア取得方法は、前記第１、第２、第３、第４、または、第５の無線ソフトウェア取得方法であって、選択された利用サービスを前記利用可能サービス管理サーバから受信し、サービスの利用手続きを行い、利用手続き完了を前記利用可能サービス管理サーバに送信する処理を他通信事業者管理サーバに実行させる他通信事業者管理手順と、前記他通信事業者管理サーバに選択された利用サービスを送信し、前記他通信事業者管理サーバから利用手続き完了を受信すると、利用手続き完了を前記サービスエリア内管理サーバに送信する処理を前記利用可能サービス管理サーバに実行させる前記利用可能サービス管理手順と、前記利用可能サービス管理サーバから利用手続き完了を受診すると、選択された利用サービスを前記無線用ソフトウェア管理サーバに送信する処理を前記サービスエリア内管理サーバに実行させる前記サービスエリア内管理手順と、を含むことを特徴とする。
【００２５】
本発明の第７の無線ソフトウェア取得方法は、前記第１、第２、第３、第４、第５、または第６の無線ソフトウェア取得方法であって、無線ソフトウェアを受け取ると、前記記憶手段の端末情報の無線方式情報を更新し、端末情報の更新通知を前記サービスエリア内管理サーバに送信する処理を前記携帯無線装置に実行させる前記携帯無線手順と、前記携帯無線装置から端末情報の更新通知を受信すると、前記端末管理サーバに、端末情報の更新通知を送信する処理を前記サービスエリア内管理サーバに実行させる前記サービスエリア内管理手順と、を含むことを特徴とする。
【００２６】
本発明の第８の無線ソフトウェア取得方法は、前記第１、第２、第３、第４、第５、第６、または、第７の無線ソフトウェア取得方法であって、事前に設定されたルールに基づいて利用可能サービスの中から利用サービスを選択する前記携帯無線装置に実行させる前記携帯無線を含むことを特徴とする。
【００２７】
本発明の第１の無線ソフトウェア取得プログラムは、記憶手段に位置情報、時刻情報を含むチケット情報、端末情報を格納し、前記記憶手段から読み出したチケット情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からのチケット情報、端末情報を受信し、チケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、前記サービスエリア内管理サーバからのチケット情報内の位置情報、時刻情報、および、端末情報に基づいて、利用可能サービスを決定し送信する処理を利用可能サービス管理サーバに実行させる利用可能サービス管理手順と、前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、をコンピュータに実行させることを特徴とする。
【００２８】
本発明の第２の無線ソフトウェア取得プログラムは、前記第１の無線ソフトウェア取得プログラムであって、記憶手段に位置情報、時刻情報の存在場所を示すチケットリンク情報、端末情報の存在場所を示す端末リンク情報を格納し、前記記憶手段から読み出したチケットリンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からのチケットリンク情報、端末リンク情報を受信し、チケットリンク情報に基づいてチケット情報管理サーバからチケット情報を取り出し、端末リンク情報に基づいて端末管理サーバから端情報を取り出し、取り出したチケット情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、をコンピュータに実行させることを特徴とする。
【００２９】
本発明の第３の無線ソフトウェア取得プログラムは、記憶手段に位置情報、時刻情報を含む個人情報、端末情報を格納し、前記記憶手段から読み出した個人情報、端末情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からの個人情報、端末情報を受信し、個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、前記サービスエリア内管理サーバからの個人情報内の位置情報、時刻情報、および、端末情報に基づいて、利用可能サービスを決定し送信する処理を利用可能サービス管理サーバに実行させる利用可能サービス管理手順と、前記サービスエリア内管理サーバからの選択された利用サービスを受信し、選択された利用サービスに対応する無線ソフトを前記サービスエリア内管理サーバに送信する処理を無線用ソフトウェア管理サーバに実行させる無線用ソフトウェア管理手順と、をコンピュータに実行させることを特徴とする。
【００３０】
本発明の第４の無線ソフトウェア取得プログラムは、前記第３の無線ソフトウェア取得プログラムであって、記憶手段に位置情報、時刻情報の存在場所を示す個人リンク情報、端末情報の存在場所を示す端末リンク情報を格納し、前記記憶手段から読み出した個人リンク情報、端末リンク情報を送信し、利用可能サービスを受信し利用者により利用可能サービスの中から選択された利用サービスを送信し、無線ソフトウェアを受信し、前記記憶手段に格納する処理を携帯無線装置に実行させる携帯無線手順と、前記携帯無線装置からの個人リンク情報、端末リンク情報を受信し、個人リンク情報に基づいて個人情報管理サーバから個人情報を取り出し、端末リンク情報に基づいて端末管理サーバから端情報を取り出し、取り出した個人情報、端末情報を送信し、利用可能サービスを受信し前記携帯無線装置に送信し、前記携帯無線装置からの選択された利用サービスを受信し、選択された利用サービスを送信し、無線ソフトウェアを受信し、前記携帯無線装置に送信する処理をサービスエリア内管理サーバに実行させるサービスエリア内管理手順と、をコンピュータに実行させることを特徴とする。
【００３１】
本発明の第５の無線ソフトウェア取得プログラムは、前記第１、第２、第３、または、第４の無線ソフトウェア取得プログラムであって、前記携帯無線装置からの選択された利用サービスに対する決済依頼を送信する処理を前記サービスエリア内管理サーバに実行させる前記サービスエリア内管理手順と、前記サービスエリア内管理サーバからの決済依頼にしたがって、決済を行う処理を決済管理サーバに実行させる決済管理手順と、をコンピュータに実行させることを特徴とする。
【００３２】
本発明の第６の無線ソフトウェア取得プログラムは、前記第１、第２、第３、第４、または、第５の無線ソフトウェア取得プログラムであって、選択された利用サービスを前記利用可能サービス管理サーバから受信し、サービスの利用手続きを行い、利用手続き完了を前記利用可能サービス管理サーバに送信する処理を他通信事業者管理サーバに実行させる他通信事業者管理手順と、前記他通信事業者管理サーバに選択された利用サービスを送信し、前記他通信事業者管理サーバから利用手続き完了を受信すると、利用手続き完了を前記サービスエリア内管理サーバに送信する処理を前記利用可能サービス管理サーバに実行させる前記利用可能サービス管理手順と、前記利用可能サービス管理サーバから利用手続き完了を受診すると、選択された利用サービスを前記無線用ソフトウェア管理サーバに送信する処理を前記サービスエリア内管理サーバに実行させる前記サービスエリア内管理手順と、をコンピュータに実行させることを特徴とする。
【００３３】
本発明の第７の無線ソフトウェア取得プログラムは、前記第１、第２、第３、第４、第５、または、第６の無線ソフトウェア取得プログラムであって、無線ソフトウェアを受け取ると、前記記憶手段の端末情報の無線方式情報を更新し、端末情報の更新通知を前記サービスエリア内管理サーバに送信する処理を前記携帯無線装置に実行させる前記携帯無線手順と、前記携帯無線装置から端末情報の更新通知を受信すると、前記端末管理サーバに、端末情報の更新通知を送信する処理を前記サービスエリア内管理サーバに実行させる前記サービスエリア内管理手順と、をコンピュータに実行させることを特徴とする。
【００３４】
本発明の第８の無線ソフトウェア取得プログラムは、前記第１、第２、第３、第４、第５、第６、または、第７の無線ソフトウェア取得プログラムであって、事前に設定されたルールに基づいて利用可能サービスの中から利用サービスを選択する前記携帯無線装置に実行させる前記携帯無線をコンピュータに実行させることを特徴とする。
【００３５】
【発明の実施の形態】
次に、本発明の第１の実施の形態について図面を参照して詳細に説明する。
【００３６】
図１は、本発明の第１の実施の形態の構成を示すブロック図である。
【００３７】
図１を参照すると、本発明の第１の実施の形態は、１以上の無線端末１００と、１以上の携帯電話１０１と、１以上の無線基地局１０２と、１以上のサービス端末１０３と、サービスエリア内管理サーバ１０４と、インターネット等のネットワーク１０６と、無線用ソフトウェア管理サーバ１０７と、端末管理サーバ１０８と、決済管理サーバ１０９と、チケット情報管理サーバ１１０と、利用可能サービス管理サーバ１１１と、個人情報管理サーバ１１２と、他通信事業者管理サーバ１１３とから構成される。
【００３８】
また、無線基地局１０２、サービス端末１０３、サービスエリア内管理サーバ１０４は、対応するいずれかのサービスエリア１０５内に設置される。
【００３９】
無線方式ソフトウェアの追加、または、更新が利用者により意図される無線端末１００、または、携帯電話１０１は、無線基地局１０２、または、サービス端末１０３を介してサービスエリア１０５内のサービスエリア内管理サーバ１０４に接続される。サービスエリア内管理サーバ１０４は、ネットワーク１０６を介して各種情報を入手するために無線用ソフトウェア管理サーバ１０７、端末管理サーバ１０８、決済管理サーバ１０９、チケット情報管理サーバ１１０、利用可能サービス管理サーバ１１１、個人情報管理サーバ１１２および他通信事業者管理サーバ１１３へアクセスを行う。サーバ類は、コンピュータで構成される。
【００４０】
図２は、携帯電話１０１の構成を示すブロック図である。
【００４１】
図２を参照すると、携帯電話１０１は、無線基地局１０２と接続を確立するための無線制御部２０４と、サービス端末１０３と有線接続するための有線制御部２０５と、利用者からの入力を受け付ける入力部２０３と、画像を表示する画像表示部２０１と、無線制御部２０４、有線制御部２０５に接続され各種情報の入出力を行う制御部２０２と、プログラム、データ等を含む情報を記憶するメモリ等の記憶部２００と、時刻情報管理部２０７と、出力部２０８とから構成される。
【００４２】
制御部２０２は、入力部２０３からの入力情報の制御、画像表示部２０１、出力部２０８への出力情報の制御、時刻情報管理部２０７の制御、必要な情報の保存を行う記憶部２００の制御の制御を実施する。無線端末１００もまた、図２に示される各構成要素を具備する。サービス端末１０３と無線接続を行う場合は無線制御部２０４を介して無線接続の確立を行う。
【００４３】
図３は、サービス端末１０３の構成を示すブロック図である。
【００４４】
図３を参照すると、サービス端末１０３は、記憶部２００と、画像表示部２０１と、入力部２０３と、無線制御部２０４と、有線制御部２０５と、出力部２０８と、課金管理部３０１と、制御部３０２とから構成される。
【００４５】
無線制御部２０４、有線制御部２０５は、それぞれ、無線端末１００、携帯電話１０１との接続を確立するためのものである。無線制御部２０４、有線制御部２０５は制御部２０２に接続され各種情報の入出力が行われる。制御部３０２は、入力部２０３からの入力情報の制御、画像表示部２０１、および、出力部２０８への出力情報の制御、必要な情報の保存を行う記憶部２００の制御、および、課金の管理を行う課金管理部３０１の制御を実施する。
【００４６】
次に、本発明の第１の実施の形態の動作について図面を参照して説明する。
【００４７】
図４は、本発明の第１の実施の形態の動作を示すシーケンス図である。
【００４８】
図４を参照すると、携帯電話１０１、または、無線端末１００は、無線基地局１０２、または、サービス端末１０３と有線、または、無線による接続を確立する（図４ステップ４００）。次に、サービス端末１０３、または、サービスエリア内管理サーバ１０４は、携帯電話１０１、または、無線端末１００から得た固有ＩＤ番号、電話番号、または、ＩＰアドレス等とチケット情報管理サーバ１１０、個人情報管理サーバ１１２、端末管理サーバ１０８、利用可能サービス管理サーバ１１１、および、決済管理サーバ１０９のいずれか、または、複数に保存された認証情報と照合を行い利用者の認証を行う（図４ステップ４０１）。
【００４９】
次に、チケット情報（または、チケット情報にアクセスするためのリンク情報、たとえば、ＵＲＬ等）、および、個人情報を入手し関連する位置情報、時刻情報の決定処理を行う（図４ステップ４０２）。
【００５０】
図５は、チケット情報（または、チケット情報にアクセスするためのリンク情報）を用いた場合の位置情報、時刻情報の決定処理（図４ステップ４０２）の詳細な動作を示すシーケンス図である。
【００５１】
図１１は、チケット情報、端末情報を示す説明図である。
【００５２】
図１１（ａ）を参照すると、チケット情報は、名称：航空チケット、位置情報：Ａ国行き，地域２，都市名３、時刻情報：５月１２日から５月１４日まで等の情報を含む。
【００５３】
図５を参照すると、サービスエリア内管理サーバ１０４は、チケット情報を取得するための要求を無線基地局１０２、または、サービス端末１０３を介して携帯電話１０１、または、無線端末１００に送信する（図５ステップ５０１）。携帯電話１０１、または、無線端末１００は、記憶部２００に保存されているチケット情報、または、チケット情報にアクセスするためのリンク情報をサービスエリア内管理サーバ１０４に返答する（図５ステップ５０２）。ここで、サービス端末１０３の入力部２０３に利用者からチケット情報を入力させることによりチケット情報を入手する方法もとりえる。サービスエリア内管理サーバ１０４は、サービスエリア内管理サーバ１０４においてチケット情報であるのかリンク情報であるのかの判定が行う（図５ステップ５０３）。
【００５４】
サービスエリア内管理サーバ１０４は、リンク情報であれば（図５ステップ５０３／Ｙｅｓ）、リンク先のチケット情報管理サーバ１１０にアクセスを行う（図５ステップ５０４）。
【００５５】
チケット情報管理サーバ１１０は、要求のあった場合チケット情報に関連する位置情報、および、時刻情報の通知をサービスエリア内管理サーバ１０４に対して行う（図５ステップ５０７）。
【００５６】
サービスエリア内管理サーバ１０４は、チケット情報の場合は（図５ステップ５０３／Ｎｏ）、チケット情報に含まれる位置情報、時刻情報を、リンク情報の場合は（図５ステップ５０３／Ｙｅｓ）、チケット情報管理サーバ１１０からの位置情報、時刻情報を、サービス端末１０３、および、無線基地局１０２に通知する（図５ステップ５０８）。
【００５７】
サービス端末１０３、および、無線基地局１０２は、携帯電話１０１、または、無線端末１００に、サービスエリア内管理サーバ１０４からの位置情報、および、時刻情報を通知する（図５ステップ５０９）。以上の処理によりチケット情報から関連する位置情報および時刻情報の決定が行われる（図５ステップ５１０）。
【００５８】
次に、端末情報決定処理（図４ステップ４０３）を行う。
【００５９】
図１１（ｂ）を参照すると、端末情報は、性能：ｃｌｏｃｋ＝２００［ＭＨｚ］，ＲＡＭ＝１［Ｍｂｙｔｅ］，ＲＯＭ＝２［Ｍｂｙｔｅ］、受信可能周波数帯：８００［ＭＨｚ］〜２［ＧＨｚ］帯、無線方式：Ｎ等の情報を含む。
【００６０】
図６は、端末情報決定処理の詳細な動作を示すシーケンス図である。
【００６１】
図６を参照すると、サービスエリア内管理サーバ１０４は、端末に関する情報の要求を無線基地局１０２、または、サービス端末１０３を介して携帯電話１０１または無線端末１００に送信する（図６ステップ６０１）。携帯電話１０１、または、無線端末１００は、記憶部２００に保存されている端末情報、または、端末情報にアクセスするためのリンク情報をサービスエリア内管理サーバ１０４に返答する（図６ステップ６０２）。
【００６２】
サービスエリア内管理サーバ１０４は、端末情報であるのかリンク情報であるかの判定を行う（図６ステップ６０３）。リンク情報であれば（図６ステップ６０３／Ｎｏ）、サービスエリア内管理サーバ１０４は、リンク先の端末管理サーバ１０８にアクセスを行う（図６ステップ６０４）。端末管理サーバ１０８は、要求を受けた場合、端末情報をサービスエリア内管理サーバ１０４に対して通知する（図６ステップ６０５）。サービスエリア内管理サーバ１０４は、端末情報である場合は（図６ステップ６０３／Ｙｅｓ）、携帯電話１０１、または、無線端末１００からの端末情報を、リンク情報である場合には、端末管理サーバ１０８からの端末情報をサービス端末１０３に通知する（図６ステップ６０６）。
【００６３】
以上の処理により端末情報の決定が行われる（図６ステップ６０７）。
【００６４】
なお、位置情報と時刻情報決定処理（図４ステップ４０２）と端末情報決定処理（図４ステップ４０３）の処理順序は逆の場合もありうる。
【００６５】
次に、決済および他事業者利用手続きと無線ソフトウェアダウンロード処理を行う（図４ステップ４０４）。
【００６６】
図７は、決済および他事業者利用手続きと無線ソフトウェアダウンロード処理の詳細な動作を示すシーケンス図である。
【００６７】
図７を参照すると、サービスエリア内管理サーバ１０４は、得られた位置情報、時刻情報、および、端末情報を利用可能サービス管理サーバ１１１に通知する（図７ステップ７０１）。利用可能サービス管理サーバ１１１は、位置情報、時刻情報、および、端末情報から利用可能なサービスを抽出する処理を行う（図７ステップ７０２）。利用可能サービス管理サーバ１１１は、抽出された利用可能なサービスをサービスエリア内管理サーバ１０４に返答する（図７ステップ７０３）。サービスエリア内管理サーバ１０４は、利用可能なサービスをサービス端末１０３、および、無線基地局１０２へ通知する（図７ステップ７０４）。さらに、サービス端末１０３は、携帯電話１０１、または、無線端末１００へ利用可能なサービスを通知する（図７ステップ７０５）。
【００６８】
サービス端末１０３、携帯電話１０１、および、無線端末１００の少なくともいずれかひとつは、利用可能なサービスを画像表示部２０１、または、出力部２０８から画像、または、音声などにより利用者に利用サービスの内容を通知する（図７ステップ７０６）。
【００６９】
図８は、画像表示部２０１に表示される利用サービスの内容の例を示す説明図である。
【００７０】
図８を参照すると、位置情報：行き先（国名、地域）、時刻情報、および、端末情報に基づいて利用サービスの内容が表示される（端末情報に基づいて、サービス不可の場合は、−と表示される）。また、過去の利用状況から推定される予測利用料金とダウンロードの料金なども利用サービス選択の介助として画像表示部２０１に表示される。利用者は、利用サービス、決済方法の決定を入力部２０３から行う（図７ステップ７０７）。
【００７１】
携帯電話１０１、無線端末１００、および、サービス端末１０３は、利用者が選択した利用サービス（利用料金を含む）、決済方法（サービス端末１０３で決済するか、カード・現金のどちらか、カードの番号等を含む）をサービスエリア内管理サーバ１０４に通知する（図７ステップ７０８）。サービスエリア内管理サーバ１０４は、サービスの決済方法の判定を行う（図７ステップ７０９）。サービス端末１０３で決済を行う場合は（図７ステップ７０９／Ｙｅｓ）、決済依頼の通知をサービス端末１０３に行う（図７ステップ７１０）。サービス端末１０３以外での決済を選択した場合は（図７ステップ７０９／Ｎｏ）、決済管理サーバ１０９へ決済依頼通知を行う（図７ステップ７１１）。決済管理サーバ１０９は、当該利用者の代金の決済（カード番号、利用料金をカード会社に通知する）が行われる（図７ステップ７１２）。決済管理サーバ１０９は、決済の完了をサービスエリア内管理サーバ１０４に通知する（図７ステップ７１３）。
【００７２】
次に、サービスエリア内管理サーバ１０４、および、サービス端末１０３において決済確認処理（決済完了通知を確認する）が行われる（図７ステップ７１４）。決済確認処理が済むと、サービスエリア内管理サーバ１０４は、利用者が選択した利用サービスを利用可能サービス管理サーバ１１１に通知する（図７ステップ７１５）。
【００７３】
利用可能サービス管理サーバ１１１は、利用者が選択した利用サービスからそのサービスを利用するための事業者を決定する（図７ステップ７１６）。利用可能サービス管理サーバ１１１は、利用者に代行し他通信事業者管理サーバ１１３にアクセスし利用者情報と利用要求のサービスを通知する（図７ステップ７１７）。他通信事業者管理サーバ１１３は、利用者登録、利用要求のあったサービスの手続き（利用要求のあった利用サービスを無線端末１００、または、携帯電話１０１から受けられるための通信情報の設定）行う（図７ステップ７１８）。他通信事業者管理サーバ１１３は、利用手続きが完了すると、利用可能サービス管理サーバ１１１に対して手続き完了（利用要求のあったサービスの種類を含む）を通知する（図７ステップ７１９）。利用可能サービス管理サーバ１１１は、利用手続き完了の通知をサービスエリア内管理サーバ１０４に対して行う（図７ステップ７２０）。
【００７４】
サービスエリア内管理サーバ１０４は、決済、および、他通信事業者における利用者の利用手続きが終了すると無線用ソフトウェア管理サーバ１０７に対して利用サービスに必要な無線ソフトウェア（位置情報に基づく場所、時間情報に基づく時間に無線端末１００、または、携帯電話１０１が無線通信を実施するためのソフトウェア）のダウンロード要求を行う（図７ステップ７２１）。無線用ソフトウェア管理サーバ１０７は要求のあった利用サービスに対応した無線ソフトウェアの決定を行う（図７ステップ７２２）。無線ソフトウェアの決定がなされると無線用ソフトウェア管理サーバ１０７からサービスエリア内管理サーバ１０４へ当該無線ソフトウェアのダウンロードが行われる（図７ステップ７２３）。
【００７５】
サービスエリア内管理サーバ１０４は、無線基地局１０２、または、サービス端末１０３を介して携帯電話１０１または無線端末１００へ無線ソフトウェアのダウンロードを行う（図７ステップ７２４）。
【００７６】
携帯電話１０１、または、無線端末１００は、ダウンロードされた無線ソフトウェアを記憶部２００に保存し、書き換えが行われた無線ソフトウェアの無線方式（たとえば、Ｍ）を記憶部２００の端末情報に記録する（図７ステップ７２５）。
【００７７】
無線ソフトウェアの書き換えが行われた後、携帯電話１０１、または、無線端末１００は、無線基地局１０２、または、サービス端末１０３を介して更新が行われた無線ソフトウェアの無線方式をサービスエリア内管理サーバ１０４へ通知する（図７ステップ７２６）。サービスエリア内管理サーバ１０４は変更された端末の無線方式を端末管理サーバ１０８に通知する（図７ステップ７２７）。端末管理サーバ１０８は書き換えが行われた無線ソフトウェアの無線方式を端末情報の一部として更新する（図７ステップ７２８）。端末管理サーバ１０８は、端末情報の無線方式の更新が終了するとサービスエリア内管理サーバ１０４へ端末情報更新完了通知を行う（図７ステップ７２９）。
【００７８】
サービスエリア内管理サーバ１０４は、端末情報更新完了通知を無線基地局１０２、および、サービス端末１０３へ行う（図７ステップ７３０）。無線基地局１０２およびサービス端末１０３は無線端末１００および携帯電話１０１へ端末情報更新完了通知を行う（図７ステップ７３１）。以上の処理により決済および他事業者利用手続きと無線ソフトウェアダウンロード処理が行われる。
【００７９】
次に、携帯電話１０１、無線端末１００、サービス端末１０３、および、無線基地局１０２は、無線ソフトウェアのダウンロード完了、当該無線方式の利用可能を利用者に対して画像表示部２０１および出力部２０８より画像や音声などを用いて通知する（図７ステップ４０５）。携帯電話１０１、または、無線端末１００は、無線基地局１０２、または、サービス端末１０３に対し有線、または、無線による接続を切断する（図４ステップ４０６）。
【００８０】
次に、本発明の第２の実施の形態について図面を参照して詳細に説明する。
【００８１】
本発明の第２の実施の形態の構成は、本発明の第１の実施の形態の図１、図２、図３に示す構成と同一である。本発明の第１の実施の形態との相違点は、チケット情報でなく個人情報から位置情報、時刻情報を決定する点、無線端末１００、または、携帯電話１０１がルールに基づいて利用サービス、決済方法を決定する点である。
【００８２】
図９は、本発明の第２の実施の形態の位置情報、時刻情報の決定処理（図４ステップ４０２）を示すシーケンス図である。
【００８３】
図１１（ｃ）を参照すると、個人情報は、名称：カンフェランス出席、位置情報：Ａ国，地域２，都市名３、時刻情報：５月１２日等を含む。
【００８４】
図９を参照すると、サービスエリア内管理サーバ１０４は、個人情報に関する要求を無線基地局１０２またはサービス端末１０３を介して携帯電話１０１、または、無線端末１００に送信する（図９ステップ９０１）。携帯電話１０１、または、無線端末１００は、記憶部２００に保存されている個人情報または個人情報にアクセスするためのリンク情報をサービスエリア内管理サーバ１０４に返答する（図９ステップ９０２）。サービス端末１０３の入力部２０３から利用者により入力された個人情報を使用することも可能である。サービスエリア内管理サーバ１０４は、個人情報であるのかリンク情報であるのかの判定を行う（図９ステップ９０３）。
【００８５】
リンク情報であれば（図９ステップ９０３／Ｙｅｓ）、リンク先の個人情報管理サーバ１１２にアクセスを行う（図９ステップ９０４）。個人情報管理サーバ１１２は、要求のあった場合（図９ステップ９０３／Ｙｅｓ）、個人情報に関連する位置情報、および、時刻情報の通知をサービスエリア内管理サーバ１０４に対して行う（図９ステップ９０７）。
【００８６】
サービスエリア内管理サーバ１０４は、個人情報の場合は（図９ステップ９０３／Ｎｏ）、個人情報に含まれる位置情報、時刻情報を、リンク情報の場合は（図９ステップ９５０３／Ｙｅｓ）、個人情報管理サーバ１１２からの位置情報、時刻情報を、サービス端末１０３、および、無線基地局１０２に通知する（図９ステップ９０８）。
【００８７】
サービス端末１０３、および、無線基地局１０２は、携帯電話１０１、または、無線端末１００に位置情報および時刻情報を通知する（図９ステップ９０９）。以上の処理によりチケット情報から関連する位置情報および時刻情報の決定が行われる（図９ステップ９１０）。
【００８８】
次に、本発明の第２の実施の形態のシステムの決済、および、他通信事業者利用手続きと無線ソフトウェアダウンロード処理（図４ステップ４０４）について説明する。
【００８９】
図１０は、本発明の第２の実施の形態による無線方式書き換えシステムおよび課金システムの決済および他通信事業者利用手続きと無線ソフトウェアダウンロード処理の動作を示すシーケンス図である。
【００９０】
図１０を参照すると、サービスエリア内管理サーバ１０４は、得られた位置情報、時刻情報、および、端末情報を利用可能サービス管理サーバ１１１に通知する（図１０ステップ１００１）。利用可能サービス管理サーバ１１１は、位置情報、時刻情報、および、端末情報に基づいて利用可能なサービスを抽出する（図１０ステップ１００２）。利用可能サービス管理サーバ１１１は、抽出された利用可能なサービスをサービスエリア内管理サーバ１０４に返答する（図１０ステップ１００３）。サービスエリア内管理サーバ１０４は、利用可能なサービスをサービス端末１０３、および、無線基地局１０２へ通知する（図１０ステップ１００４）。さらに、サービス端末１０３は、携帯電話１０１、または、無線端末１００へ利用可能なサービスを通知する（図１０ステップ１００５）。
【００９１】
携帯電話１０１、および、無線端末１００は、あらかじめ設定されたルールに基づいて利用サービス、決済方法を決定する（図１０ステップ１００６）。
【００９２】
ルールとは、使用者があらかじめ無線端末１００、または、携帯電話１０１に設定しておく情報で、利用サービスや決済を選択する際の選択方法（優先順位または必須項目）である。
【００９３】
具体的なルールとは、たとえば、以下のようである。
【００９４】
Ａ．利用サービス選択ルール（優先順）。
【００９５】
（１）メールサービスの利用必須、（２）利用期間中の利用予想額が最小、（３）ダウンロード金額がもっとも安い。
【００９６】
Ｂ．決済選択ルール。
【００９７】
（１）カード決済、（２）現金等である。
【００９８】
無線方式選択の際に、あらかじめ上記ルールを定めておくことにより、「メールサービス利用可能」な、「最小利用金額」の「ダウンロード最安」な無線方式が選択され、カード決済可能であれば、「カード決済」でカード決済利用不可であれば、「現金決済」で支払いが行われる。
【００９９】
携帯電話１０１、無線端末１００、および、サービス端末１０３は、選択された利用サービス、決済方法をサービスエリア内管理サーバ１０４に通知する（図１０ステップ１００７）。サービスエリア内管理サーバ１０４は、決済管理サーバ１０９へ決済依頼通知を行う（図１０ステップ１００８）。決済管理サーバ１０９において当該利用者の代金の決済が行われる（図１０ステップ１００９）。決済管理サーバ１０９は、決済の完了をサービスエリア内管理サーバ１０４に通知する（図１０ステップ１０１０）。サービスエリア内管理サーバ１０４において決済確認処理が行われる（図１０ステップ１０１１）。
【０１００】
決済確認処理が済むと、サービスエリア内管理サーバ１０４は、利用者が選択した利用サービスを利用可能サービス管理サーバ１１１に通知する（図１０ステップ１０１２）。利用可能サービス管理サーバ１１１において利用者が選択した利用サービスからそのサービスを利用するための他通信事業者管理サーバ１１３を決定する（図１０ステップ１０１３）。利用可能サービス管理サーバ１１１は、利用者に代行し他通信事業者管理サーバ１１３にアクセスし利用者情報、利用要求のサービスを通知する（図１０ステップ１０１４）。他通信事業者管理サーバ１１３は、利用者登録、利用要求のあったサービスの手続きを行う（図１０ステップ１０１５）。
【０１０１】
他通信事業者管理サーバ１１３は、利用手続きが完了すると利用可能サービス管理サーバ１１１に対して利用手続き完了を通知する（図１０ステップ１０１６）。利用可能サービス管理サーバ１１１は、利用手続き完了の通知をサービスエリア内管理サーバ１０４に対して行う（図１０ステップ１０１７）。サービスエリア内管理サーバ１０４は、決済、および、他通信事業者における利用者の利用手続きが終了すると無線用ソフトウェア管理サーバ１０７に対して利用サービスに必要な無線ソフトウェアのダウンロード要求を行う（図１０ステップ１０１８）。無線用ソフトウェア管理サーバ１０７は、要求のあった利用サービスに対応した無線ソフトウェアの決定を行う（図１０ステップ１０１９）。無線ソフトウェアの決定がなされると無線用ソフトウェア管理サーバ１０７からサービスエリア内管理サーバ１０４へ当該無線ソフトウェアのダウンロードが行われる（図１０ステップ１０２０）。
【０１０２】
サービスエリア内管理サーバ１０４は、無線基地局１０２、または、サービス端末１０３を介して携帯電話１０１または無線端末１００へ無線ソフトウェアのダウンロードを行う（図１０ステップ１０２１）。携帯電話１０１、または、無線端末１００は、ダウンロードされた無線ソフトウェアを記憶部２００に保存し、端末情報に無線ソフトウェアに対応する無線方式を書き込む（図１０ステップ１０２２）。無線ソフトウェアの書き換えが行われた後、携帯電話１０１、または、無線端末１００は、無線基地局１０２、または、サービス端末１０３を介して端末情報の無線方式の更新が行われたことをサービスエリア内管理サーバ１０４へ通知する（図１０ステップ１０２３）。サービスエリア内管理サーバ１０４は、端末情報の無線方式が更新されたことを端末管理サーバ１０８に通知する（図１０ステップ１０２４）。
【０１０３】
端末管理サーバ１０８は、端末情報を当該端末の端末情報として更新する（図１０ステップ１０２５）。端末管理サーバ１０８は、当該端末の端末情報の更新が終了すると、サービスエリア内管理サーバ１０４へ端末情報完了通知を通知する（図１０ステップ１０２６）。サービスエリア内管理サーバ１０４は、端末情報更新完了通知を無線基地局１０２、および、サービス端末１０３へ通知する（図１０ステップ１０２７）。無線基地局１０２、および、サービス端末１０３は、無線端末１００、および、携帯電話１０１へ端末情報更新完了通知を通知する（図１０ステップ１０２８）。以上の処理により決済、および、他事業者利用手続き、無線ソフトウェアダウンロード処理が行われる。
【０１０４】
【発明の効果】
第１の効果は、使い勝手が向上することである。
【０１０５】
その理由は、利用者が仕事等で出かける国（地域、都市）において携帯電話、または、無線端末で無線通信が可能となる無線ソフトウェアのダウンロードが事前に完了しているので、利用者が、利用したい時点で、即座に無線端末、あるいは、無線端末から無線通信を実施できるからである。
【０１０６】
第２の効果は、省力化が達成できることである。
【０１０７】
その理由は、チケット情報やスケジュールなどの個人情報に対応する位置情報および時刻情報に基づいて無線ソフトウェアのダウンロードを行う、また、必要であれば他通信事業者の利用手続きも包括して行うため利用者に手間をかけさせないからである。
【図面の簡単な説明】
【図１】本発明の第１の実施の形態の構成を示すブロック図である。
【図２】携帯電話の構成を示すブロック図である。
【図３】サービス端末の構成を示すブロック図である。
【図４】本発明の第１の実施の形態の動作を示すシーケンス図である。
【図５】チケット情報を用いた場合の位置情報、時刻情報の決定処理の詳細な動作を示すシーケンス図である。
【図６】端末情報決定処理の詳細な動作を示すシーケンス図である。
【図７】決済および他事業者利用手続きと無線ソフトウェアダウンロード処理の詳細な動作を示すシーケンス図である。
【図８】画像表示部に表示される利用サービスの内容の例を示す説明図である。
【図９】本発明の第２の実施の形態の位置情報、時刻情報の決定処理を示すシーケンス図である。
【図１０】本発明の第２の実施の形態の無線ソフトウェアダウンロード処理等の動作を示すシーケンス図である。
【図１１】チケット情報、端末情報、個人情報を示す説明図である。
【符号の説明】
１００    無線端末
１０１    携帯電話
１０２    無線基地局
１０３    サービス端末
１０４    サービスエリア内管理サーバ
１０５    サービスエリア
１０６    ネットワーク
１０７    無線用ソフトウェア管理サーバ
１０８    端末管理サーバ
１０９    決済管理サーバ
１１０    チケット情報管理サーバ
１１１    利用可能サービス管理サーバ
１１２    個人情報管理サーバ
１１３    他通信事業者管理サーバ
２００    記憶部
２０１    画像表示部
２０２    制御部
２０３    入力部
２０４    無線制御部
２０５    有線制御部
２０７    時刻情報管理部
２０８    出力部
３０１    課金管理部
３０２    制御部
【図１】
2004356706.tif 000003
【図２】
2004356706.tif 000004
【図３】
2004356706.tif 000005
【図４】
2004356706.tif 000006
【図５】
2004356706.tif 000007
【図６】
2004356706.tif 000008
【図７】
2004356706.tif 000009
【図８】
2004356706.tif 000010
【図９】
2004356706.tif 000011
【図１０】
2004356706.tif 000012
【図１１】
2004356706.tif 000013